(57)【要約】    【構成】携帯電話機１０は、キー入力装置２６およびディスプレイ３０を備え、使用者が電話番号を入力すると、キーバックライト３６およびディスプレイバックライト３８が発光する。たとえば、使用者がテレフォンバンキングを利用するための電話番号を入力し始めると、プロセッサ２４は入力中の電話番号を識別し、上限桁数を確定する。また、入力した数字列の桁数が上限桁数を超えると、プロセッサ２４は各バックライトの輝度を微灯状態に設定する。    【効果】テレフォンバンキング用の電話番号の後に暗証番号などの制御番号が入力されると、各バックライトの輝度が低くなるため、携帯電話機１０の消費電力が抑えられる。【選択図】図１
2012070122.tif 000002
【特許請求の範囲】
【請求項１】
キー入力部および前記キー入力部に対してキー入力がされたとき、第１輝度状態で発光する発光部を有する、携帯端末であって、
前記キー入力部によって電話番号の入力が終了したかを判断する第１判断部、および
前記第１判断部によって電話番号の入力が終了したと判断されたとき、前記発光部の輝度を前記第１輝度状態よりも暗い第２輝度状態に設定する第１設定部を備える、携帯端末。
【請求項２】
前記キー入力部による入力桁数を計測する計測部をさらに備え、
前記第１判断部は、前記計測部によって計測された入力桁数が所定数を超えたとき、前記キー入力部によって電話番号の入力が終了したと判断する、請求項１記載の携帯端末。
【請求項３】
前記キー入力部によって途中まで入力された電話番号に基づいて、前記所定数を確定する確定部をさらに備える、請求項２記載の携帯端末。
【請求項４】
前記キー入力部は、ポーズキーを含み、
前記ポーズキーが操作されたかを判断する第２判断部をさらに備え、
前記第１設定部は、前記第２判断部によって前記ポーズキーが操作されたと判断されたとき、前記発光部の輝度を前記第２輝度状態に設定する、請求項１ないし３のいずれかに記載の携帯端末。
【請求項５】
前記キー入力部に対してキー入力がされたとき、そのキー入力の結果を表示する表示部、
前記表示部のバックライトとして発光するディスプレイ発光部、および
前記第１設定部によって前記発光部の輝度が前記第２輝度状態に設定されたとき、前記ディスプレイ発光部の輝度を低く設定する第２設定部をさらに備える、請求項１ないし４のいずれかに記載の携帯端末。
【請求項６】
前記キー入力部が、タッチパネルにより構成され、
前記発光部は、前記タッチパネルのバックライトを含む、請求項１記載の携帯端末。
【請求項７】
キー入力部および前記キー入力部に対してキー入力がされたとき、第１輝度状態で発光する発光部を有する、携帯端末のプロセッサを、
前記キー入力部によって電話番号の入力が終了したかを判断する判断部、および
前記判断部によって電話番号の入力が終了したと判断されたとき、前記発光部の輝度を前記第１輝度状態よりも暗い第２輝度状態に設定する設定部として機能させる、輝度制御プログラム。
【請求項８】
キー入力部および前記キー入力部に対してキー入力がされたとき、第１輝度状態で発光する発光部を有する、携帯端末の輝度制御方法であって、
前記キー入力部によって電話番号の入力が終了したかを判断し、そして
電話番号の入力が終了したと判断されたとき、前記発光部の輝度を前記第１輝度状態よりも暗い第２輝度状態に設定する、輝度制御方法。
【発明の詳細な説明】
【技術分野】
【０００１】
この発明は、携帯端末、輝度制御プログラムおよび輝度制御方法に関し、特にキー入力がされたときに発光する、携帯端末、輝度制御プログラムおよび輝度制御方法に関する。
【背景技術】
【０００２】
従来、キー入力がされたときに発光する、携帯端末は広く知られており、この種の装置の一例が特許文献１に開示されている。この背景技術の携帯電話機は、キー操作部およびキー操作部に含まれる各キーを個別に照らすキーバックライトなどを有する構成である。キー操作部によって電話番号３桁が入力されるとデータベースが参照され、入力中の電話番号の有効桁数が認識される。そして、有効桁数の電話番号が入力されると、開始キーを照らすキーバックライトが他のキーとは異なる色で点灯する。これにより、携帯電話機１０は、発信操作の手順をユーザに促すことができる。
【特許文献１】特開２０１０−５０８２３号公報［H04M 1/00, H04M 1/247］
【発明の概要】
【発明が解決しようとする課題】
【０００３】
ところが、特許文献１の携帯電話機では、ユーザが携帯電話機の操作に慣れてくると、ユーザは開始キーの位置を覚えるため、開始キーを照らすキーバックライトが他のキーとは異なる色で点灯する意味が無くなる。それどころが、先述したようにキーバックライトを制御することで、携帯電話機は余計な電力を消費してしまう。
【０００４】
それゆえに、この発明の主たる目的は、新規な、携帯端末、輝度制御プログラムおよび輝度制御方法を提供することである。
【０００５】
この発明の他の目的は、電話を掛ける際の消費電力を抑えることができる、携帯端末、輝度制御プログラムおよび輝度制御方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、キー入力部およびキー入力部に対してキー入力がされたとき、第１輝度状態で発光する発光部を有する、携帯端末であって、キー入力部によって電話番号の入力が終了したかを判断する第１判断部、および第１判断部によって電話番号の入力が終了したと判断されたとき、発光部の輝度を第１輝度状態よりも暗い第２輝度状態に設定する第１設定部を備える、携帯端末である。
【０００８】
第１の発明では、携帯端末（１０：実施例において対応する部分を例示する参照符号。以下、同じ。）は、数字を入力するためのキー入力部（２６）およびＬＥＤなどを含む発光部（３６）を含み、数字が入力されると発光部は第１輝度状態で発光する。第１判断部（２４，Ｓ３７）は、たとえば、使用者がキー入力部に対して行う電話番号の入力が終了したかを判断する。そして、電話番号の入力が終了すると、第１設定部（２４，Ｓ３９）は、発光部の輝度を第１輝度状態よりも暗い第２輝度状態に設定する。たとえば、テレフォンバンキング用の電話番号の後に暗証番号などの制御番号が入力されると、発光部の輝度が低くなる。
【０００９】
第１の発明によれば、電話を掛けるときに、電話番号に続けて制御番号が入力されると、発光部の輝度を低くすることができるため、携帯端末の消費電力を抑えることができる。
【００１０】
第２の発明は、第１の発明に従属し、キー入力部による入力桁数を計測する計測部をさらに備え、第１判断部は、計測部によって計測された入力数が所定数を超えたとき、キー入力部によって電話番号の入力が終了したと判断する。
【００１１】
第２の発明では、計測部（２４，Ｓ２５，Ｓ２９）によって計測された入力桁数は、入力された数字列の桁数を表す。また、入力される電話番号は上限桁数が決まっているため、入力桁数が所定数を超えると、入力された数字列の桁数は上限桁数を超える。したがって、第１判断部は、計測部によって計測された入力桁数が所定数を超えると、キー入力部によって電話番号の入力が終了したと判断する。
【００１２】
第２の発明によれば、入力された電話番号の桁数に基づいて、発光部の輝度を制御することができる。
【００１３】
第３の発明は、第２の発明に従属し、キー入力部によって途中まで入力された電話番号に基づいて、所定数を確定する確定部をさらに備える。
【００１４】
第３の発明では、たとえば、入力中の電話番号から、上限桁数が１０桁の固定電話機用の電話番号、上限桁数が１０桁のフリーフォンサービス用の電話番号および上限桁数が１４〜１８桁の国際電話用の電話番号を識別することができる。そのため、確定部（２４，Ｓ３３，Ｓ５３，Ｓ５７，Ｓ６１）は、入力された電話番号の種類を識別し、所定数を確定する。
【００１５】
第３の発明によれば、様々な種類の電話番号に対応して発光部の輝度を制御することができる。
【００１６】
第４の発明は、第１の発明ないし第３の発明のいずれかに従属し、キー入力部は、ポーズキーを含み、ポーズキーが操作されたかを判断する第２判断部をさらに備え、第１設定部は、第２判断部によってポーズキーが操作されたと判断されたとき、発光部の輝度を第２輝度状態に設定する。
【００１７】
第４の発明では、キー入力部には、ポーズダイヤルを入力するためのポーズキー（２６ｃ，７４）を含む。第２判断部（２４，Ｓ２１）は、たとえばポーズキーがソフトキー（７４）として表示される場合、そのソフトキーに対応するハードキー（２６ｃ）が操作されたかを判断する。そして、第１設定部は、ポーズキーが操作されたと判断されたとき、発光部の輝度を第２輝度状態に設定する。
【００１８】
第４の発明によれば、使用者は、自身の判断で発光部の輝度を低くすることができる。
【００１９】
第５の発明は、第１の発明ないし第４の発明のいずれかに従属し、キー入力部に対してキー入力がされたとき、そのキー入力の結果を表示する表示部、表示部のバックライトとして発光するディスプレイ発光部、および第１設定部によって発光部の輝度が第２輝度状態に設定されたとき、ディスプレイ発光部の輝度を低く設定する第２設定部をさらに備える。
【００２０】
第５の発明では、表示部（３０）は、キー入力に応じて、電話番号を示す数字列を表示する。ディスプレイ発光部（３８）は、その表示部のバックライトとして発光する。第２設定部（２４，Ｓ４１）は、上記発光部の輝度が第２輝度状態に設定されると、ディスプレイ発光部の輝度を低く設定する。
【００２１】
第５の発明によれば、表示部に表示される内容が、周りの第三者から確認しにくくなり、制御番号を入力しているときのセキュリティ性が向上する。
【００２２】
第６の発明は、第１の発明に従属し、キー入力部が、タッチパネルにより構成され、発光部は、タッチパネルのバックライトを含む。
【００２３】
第６の発明によれば、キーバックライトとディスプレイバックライトとを１つに集約することができるため、携帯端末に組み込む部品数を削減することができる。また、発行する部品を減らすことで、携帯端末の消費電力を削減することもできる。
【００２４】
第７の発明は、キー入力部（２６）およびキー入力部に対してキー入力がされたとき、第１輝度状態（点灯状態）で発光する発光部（３６，３８）を有する、携帯端末（１０）のプロセッサ（２４）を、キー入力部によって電話番号の入力が終了したかを判断する判断部（Ｓ３７）、および判断部によって電話番号の入力が終了したと判断されたとき、発光部の輝度を第１輝度状態よりも暗い第２輝度状態に設定する設定部（Ｓ３９）として機能させる、輝度制御プログラムである。
【００２５】
第７の発明でも、第１の発明と同様に、電話を掛けるときに、電話番号に続けて制御番号が入力されると、発光部の輝度を低くすることができるため、携帯端末の消費電力を抑えることができる。
【００２６】
第８の発明は、キー入力部（２６）およびキー入力部に対してキー入力がされたとき、第１輝度状態（点灯状態）で発光する発光部（３６，３８）を有する、携帯端末（１０）の輝度制御方法であって、キー入力部によって電話番号の入力が終了したかを判断し（Ｓ３７）、そして電話番号の入力が終了したと判断されたとき、発光部の輝度を第１輝度状態よりも暗い第２輝度状態に設定する（Ｓ３９）、輝度制御方法である。
【００２７】
第８の発明でも、第１の発明と同様に、電話を掛けるときに、電話番号に続けて制御番号が入力されると、発光部の輝度を低くすることができるため、携帯端末の消費電力を抑えることができる。
【発明の効果】
【００２８】
この発明によれば、使用者が電話番号に続けて暗証番号などの制御番号を入力すると、発光部の輝度が低くなるため、携帯端末の消費電力が抑えられる。
【００２９】
この発明の上述の目的、その他の目的、特徴および利点は、図面を参照して行う以下の実施例の詳細な説明から一層明らかとなろう。
【図面の簡単な説明】
【００３０】
【図１】図１はこの発明の一実施例の携帯電話機の電気的な構成を示す図解図である。
【図２】図２は図１に示すキーバックライトおよびディスプレイバックライトの電気的な構成を示す図解図である。
【図３】図３は図１に示す携帯電話機の外観を示す図解図である。
【図４】図４は図１に示すキー入力装置とキーバックライトとの取り付け位置の関係を示す図解図である。
【図５】図５は図４に示すキートップの輝度の一例を示す図解図である。
【図６】図６は図１に示すディスプレイに電話番号の入力画面が表示された状態の一例を示す図解図である。
【図７】図７は図１に示すＲＡＭのメモリマップの一例を示す図解図である。
【図８】図８は図１に示すプロセッサのバックライト制御処理を示すフロー図である。
【図９】図９は図１に示すプロセッサの輝度制御処理の一部を示すフロー図である。
【図１０】図１０は図１に示すプロセッサの輝度制御処理の一部であって、図９に後続するフロー図である。
【図１１】図１１は図１に示すプロセッサの上限桁数確定処理を示すフロー図である。
【発明を実施するための形態】
【００３１】
図１を参照して、この実施例の携帯電話機１０は、携帯端末の一種であり、CPUまたはコンピュータと呼ばれるプロセッサ２４を含む。また、このプロセッサ２４には、無線通信回路１４、Ａ／Ｄ１６、Ｄ／Ａ２０、キー入力装置２６、表示ドライバ２８、フラッシュメモリ３２、ＲＡＭ３４、キーバックライト３６、ディスプレイバックライト３８および電源回路４０が接続される。無線通信回路１４にはアンテナ１２が接続され、Ａ／Ｄ１６にはマイク１８が接続され、Ｄ／Ａ２０にはアンプ（図示せず）を介して、スピーカ２２が接続される。表示ドライバ２８には、表示部であるディスプレイ３０が接続される。そして、電源回路４０にはリチウムイオン電池である二次電池４２が接続される。
【００３２】
ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータが記録される。
【００３３】
Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００３４】
キー入力部であるキー入力装置２６は、通話キーおよび終話キーなどを備える。そして、使用者が操作したキーの情報（キーデータ）はプロセッサ２４に入力される。また、後述するが、キー入力装置２６が備える各キーは、キーバックライト２４によって背面から照らされる。さらに、キー入力装置２６に含まれる各キーが操作されると、クリック音が鳴る。そのため、使用者は、クリック音を聞くことで、キー操作に対する操作感を得ることができる。
【００３５】
表示ドライバ２８は、プロセッサ２４の指示の下、当該表示ドライバ２８に接続されたディスプレイ３０の表示を制御する。また、ディスプレイ３０は、後述するディスプレイバックライト３０によって照らされる。なお、表示ドライバ２８は表示する画像データを一時的に記憶するビデオメモリ（図示せず）を含む。
【００３６】
発光部であるキーバックライト３６は、ＬＥＤ５２（図２参照）などを含む。そして、キー入力装置２６に対してキー操作がされると、プロセッサ２４の指示の下、キーの視認性を向上させるためにＬＥＤ５２が発光する。また、ディスプレイ発光部であるディスプレイバラックライト３８は、上記キーバックライト３６と同じように、ＬＥＤ５６（図２参照）などを含む。そのため、キー入力装置２６に対してキー操作がされると、プロセッサ２４の指示の下、ディスプレイ３０の視認性を向上させるためにＬＥＤ５６が発光する。
【００３７】
電源回路４０は電源管理用のICであり、電源回路４０は二次電池４２の電圧に基づく電源をシステム全体に供給する。ここで、電源回路４０が電源をシステム全体に供給している状態を、電源オン状態と言うことにする。一方、電源回路４０が電源をシステム全体に供給していない状態を、電源オフ状態と言うことにする。電源回路４０は、電源オフ状態で、キー入力装置２６によって電源オン操作がされると起動され、電源オン状態で、キー入力装置２６によって電源オフ操作がされると停止される。さらに、電源オフ状態であっても、電源回路４０は、図示しない外部電源コネクタに外部電源が接続され、二次電池４２に電力が供給（充電）されると起動し、二次電池４２の満充電状態が検出されると停止する。また、「充電」とは、外部電源コネクタが外部電源と接続され外部電源から電力の供給を受け、二次電池４２が電気エネルギーを蓄えることを言う。
【００３８】
無線通信回路１４は、CDMA方式での無線通信を行うための回路である。たとえば、使用者がキー入力装置２６を用いて電話発信（発呼）を指示すると、無線通信回路１４は、プロセッサ２４の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ２４は通話処理を実行する。
【００３９】
通常の通話処理について具体的に説明すると、相手の電話機から送られてきた変調音声信号はアンテナ１２によって受信される。受信された変調音声信号には、無線通信回路１４によって復調処理および復号処理が施される。そして、これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００４０】
また、相手の電話機からの電話発信信号がアンテナ１２によって受信されると、無線通信回路１４は、電話着信（着呼）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音（着信メロディ、着信音声と言うこともある。）を出力させる。
【００４１】
そして、使用者が通話キーを用いて応答操作を行うと、無線通信回路１４は、プロセッサ２４の指示の下、電話着信処理を実行する。すると、通信可能状態が確立され、プロセッサ２４は上述した通常の通話処理を実行する。
【００４２】
また、通話可能状態に移行した後に終話キーによって通話終了操作が行われると、プロセッサ２４は、無線通信回路１４を制御して、通話相手に通話終了信号を送信する。通話終了信号の送信後、プロセッサ２４は通話処理を終了する。また、先に通話相手から通話終了信号を受信した場合も、プロセッサ２４は通話処理を終了する。さらに、通話相手によらず、移動通信網から通話終了信号を受信した場合も、プロセッサ２４は通話処理を終了する。
【００４３】
図２はキーバックライト３６およびディスプレイバックライト３８の電気的な構成を示すブロック図である。図２を参照して、キーバックライト３６は、ＬＥＤドライバ５０およびそのＬＥＤドライバ５０に接続される６つのＬＥＤ５２ａ−５２ｆ（特に区別しない場合はＬＥＤ５２と言う。）を含む。また、ディスプレイバックライト３８は、ＬＥＤドライバ５４および４つのＬＥＤ５６ａ−５６ｆ（特に区別しない場合はＬＥＤ５６と言う。）を含む。
【００４４】
キーバックライト３６のＬＥＤドライバ５０は、電源回路４０から供給された電力をＬＥＤ５２にも供給し、プロセッサ２４からオン／オフ制御信号および調光信号が入力される。したがって、ＬＥＤドライバ５０は、オン／オフ制御信号に基づいて、ＬＥＤ５２のオン／オフ（発光／消灯）を切り替える。そして、ＬＥＤドライバ５０は、調光信号に基づいて、ＬＥＤ５２ａ−５２ｆの輝度を決定する。また、ディスプレイバックライト３８の電気的な構成および入力される信号は、キーバックライト３６と略同じである。
【００４５】
なお、他の実施例では、キーバックライト３６およびディスプレイバックライト３８は、１つのモジュールとして、携帯電話機１０に組み込まれてもよい。この場合、１つのＬＥＤドライバに対して、キー用のＬＥＤ５２とディスプレイ用のＬＥＤ５６とが接続されることになる。そして、１つのＬＥＤドライバは、ＬＥＤ５２とＬＥＤ５６とをそれぞれ別々に制御する。
【００４６】
図３は携帯電話機１０の外観図である。図３を参照して、携帯電話機１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの長さ方向一方の主面に設けられる。同じく、図示しないスピーカ２２は、筐体Ｃに内蔵され、内蔵されたスピーカ２２に通じる開口ＯＰ１は、筐体Ｃの長さ方向他方の主面に設けられる。そして、ディスプレイ３０は、モニタ画面が筐体Ｃの主面側から見えるように取り付けられる。
【００４７】
キー入力装置２６が備える各種キーは、機能キー２６ａ，２６ｂ、確定キー２６ｃ、カーソルキー２６ｄ、ダイヤルキー２６ｅ、通話キー、終話キーおよびクリア（削除）キーなどを備える。また、ダイヤルキー２６ｅは「０」−「９」キー、「＊」キーおよび「＃」キーを含み、カーソルキー２６ｄは上キー、下キー、左キーおよび右キーを含む。そして、これらのキーは筐体Ｃの主面に設けられる。
【００４８】
たとえば、使用者は、ディスプレイ３０を確認しながら、ダイヤルキー２６ｅを操作して電話番号を入力し、通話キーによって電話発信操作を行い、終話キーによって通話終了操作を行う。また、使用者は、カーソルキー２６ｄおよび確定キー２６ｃを操作することで、ＧＵＩのメニューの選択や確定を行う。さらに、ディスプレイ３０には、機能キー２６ａ、機能キー２６ｂまたは確定キー２６ｃに対応するソフトキーが表示されることがある。そのため、使用者は、機能キー２６ａ、機能キー２６ｂまたは確定キー２６ｃを操作することで、各ソフトキーに対応する機能を実行することができる。さらに、使用者はクリアキーを操作することで、キー入力の結果を解除したり、入力した文字を削除したりすることができる。そして、使用者は、終話キーを長押しすることで携帯電話機１０の電源をオン／オフする。
【００４９】
なお、上記のソフトキーは、実行中の機能によって、対応付けられる処理が異なる。そのため、本明細書中では、同じ位置に表示されるソフトキーで、対応付けられる処理が異なる場合、各ソフトキーの参照番号は同一し、各ソフトキーの名称および添え字のアルファベットを変えることで識別することに留意されたい。
【００５０】
また、アンテナ１２、無線通信回路１４、Ａ／Ｄ１６、Ｄ／Ａ２０、プロセッサ２４、表示ドライバ２８、フラッシュメモリ３２、ＲＡＭ３４、キーバックライト３６、ディスプレイバックライト３８、電源回路４０および二次電池４２は筐体Ｃに内蔵されているため、図３では図示されない。
【００５１】
図４は、キーバックライト３６のＬＥＤ５２とキー入力装置２６との取り付け位置の関係を示す図解図である。図４を参照して、筐体Ｃの主面側はフロントパネルＦＰによって覆われており、フロントパネルＦＰは接着剤などの樹脂によって筐体Ｃに取り付けられている。また、フロントパネルＦＰには、ディスプレイ３０のモニタ画面を視認するための窓Ｗと、後述するキートップ群６０に対応する複数の穴とが設けられている。
【００５２】
フロントパネルＦＰが取り外された筐体Ｃの主面側には、ディスプレイ３０およびキー操作を電気信号に変換する基板６６が設けられる。そして、フロントパネルＦＰと筐体Ｃに設けられる基板６６との間には、使用者側から、キートップ群６０、導光シート６２および接点バネシート６４が存在する。
【００５３】
キートップ群６０は、通話キー、終話キー、機能キー２６ａ、機能キー２６ｂ、確定キー２６ｃ、カーソルキー２６ｄおよびダイヤルキー２６ｅなどに対応するキートップから構成される。導光シート６２は、６つのＬＥＤ５２ａ−５２ｆが発した光を内部で均一となるように反射させることで、キートップ群６０を背面から照明する。接点バネシート６４には、各キートップの位置に対応して、ドーム型の接点バネ（図４では点線で示す）が設けられる。また、接点バネシート６４には、基板６６に設けられたＬＥＤ５２ａ−５２ｆに対応する位置に穴が設けられている。
【００５４】
したがって、基板６６に設けられたＬＥＤ５２ａ−５２ｆが発した光は、接点バネシート６４に設けられた穴を通して導光シート６２に入射し、導光シート６２を介して、キートップ群６０を背面から照射する。そして、キートップ群６０は半透明な樹脂によって形成されているため、光が照射されると、キートップ群６０の輝度は高くなる。つまり、ＬＥＤ５２が発光すると、キートップ群６０の視認性が高くなる。
【００５５】
図５（Ａ）−図５（Ｃ）は、キートップ群６０の輝度の変化を示す図解図である。図５（Ａ）はキーバックライト３６の輝度が点灯状態（第１輝度状態）に設定されたときのキートップ群６０を示す。点灯状態の輝度値は、他の発光状態に比べて最も高い。また、図５（Ｂ）はキーバックライト３６の輝度が微灯状態（第２輝度状態）に設定されたときのキートップ群６０を示す。微灯状態の輝度値は、点灯状態の輝度値に対して５〜３割程度の値である。さらに、図５（Ｃ）はキーバックライト３６が消灯状態（第３輝度状態）に設定されたときのキートップ群６０を示す。ここで、点灯状態と微灯状態とは、プロセッサ２４から出力される調光信号に基づいて切り替わるが、点灯状態または微灯状態から消灯状態に変化する場合は、オン／オフ制御信号に基づいて切り替わる。そのため、消灯状態では、ＬＥＤ５２はオフにされているため、輝度値は０になる。
【００５６】
なお、図５（Ａ）、図５（Ｂ）および図５（Ｃ）に示される例では、キー全体の輝度が一様に変化しているが、他の実施例ではこのような場合に限定されるものではなく、キー全体が非一様、すなわち、各部分が異なる輝度で発光するとしてもよい。この場合でも、一部の輝度が低下することにより省電力を図ることができる。
【００５７】
また、ディスプレイバックライト３８の輝度も、図５（Ａ）−（Ｃ）に示すキーバックライト３６と同じように、点灯状態、微灯状態および消灯状態を設定することができる。
【００５８】
そして、これらの発光状態は、たとえばキー入力の状態によって変化する。たとえば、キー操作が行われると、キーバックライト３６およびディスプレイバックライト３８は点灯状態に設定される。また、キー操作が継続している間は点灯状態が維持されるが、キー操作がされていない状態（無操作状態）が一定時間（たとえば、３０秒）維持されると、キーバックライト３６は消灯状態に設定される。そして、消灯状態でキー操作が再び行われると、キーバックライト３６およびディスプレイバックライト３８の輝度は再び点灯状態に設定される。
【００５９】
さらに、本実施例では、キーバックライト３６およびディスプレイバックライト３８の発光状態は、使用者のキー操作だけでなく、電話番号の入力の状況に応じて変化する。以下、電話番号の入力手順に沿って、キーバックライト３６およびディスプレイバックライト３８の輝度の変化について説明する。
【００６０】
図６（Ａ）は、入力された電話番号を表示するディスプレイ３０の図解図である。図６（Ａ）を参照して、ディスプレイ３０の表示領域は、状態表示領域７０および機能表示領域７２から構成される。状態表示領域７０には、アンテナ１２による電波受信状態および二次電池４２の残電池容量を示すアイコン（ピクトと言うこともある。）と、現在日時とが表示される。なお、現在時刻は、図示しないRTCが出力する時刻情報に基づく。
【００６１】
機能表示領域７２には、入力中の電話番号および確定キー２６ｃと対応するポーズキー７４などが表示されている。ここで、プロセッサ２４は、入力されている電話番号の種類を識別し、上限桁数を確定する。たとえば、図６（Ａ）に示す電話番号は、「０１２０」から始まるため、入力中の電話番号が、１０桁の料金着払い通話（フリーフォンサービス）用の電話番号として識別される。そして、図６（Ｂ）に示すように、入力された数字の桁数（字数）が１０文字以下であれば、キーバックライト３６およびディスプレイバックライト３８の輝度が点灯状態に設定される。
【００６２】
ところが、図６（Ｃ）に示すように、入力された数字列（入力桁数）が１０桁を超えると、つまり１１桁以上の数字列が入力されるとキーバックライト３６およびディスプレイバックライト３８の輝度が微灯状態に設定される。つまり、プロセッサ２４は、入力された数字列の桁数に基づいて電話番号の入力が終了したことを判断し、各バックライトの輝度を制御する。そして、図６（Ｃ）の状態では、キーバックライト３６およびディスプレイバックライト３８の輝度が低くなるため、携帯電話機１０の消費電力が抑えられる。
【００６３】
さらに、入力された電話番号がテレフォンバンキングで利用される電話番号である場合、電話番号に後続して店番号や、口座番号および暗証番号などの制御番号（たとえば、「１２３４」）が入力される。このとき、各バックライトの輝度が低くなるため、ダイヤルキー２６ｅおよびディスプレイ３０の視認性が低くなる。そのため、操作されるダイヤルキー２６ｅおよびディスプレイ３０に表示される内容が、周りの第三者から確認しにくくなり、制御番号を入力しているときのセキュリティ性が向上する。
【００６４】
また、本実施例のプロセッサ２４は、フリーフォンサービス用の電話番号以外に、固定電話機用の電話番号および国際電話用の電話番号を識別することができる。そして、上限桁数は、識別された電話番号に応じて変化する。たとえば、上限桁数は、入力中の電話番号が、固定電話機用の電話番号と識別されれば１０桁となり、国際電話用の電話番号と識別されれば１４桁〜１８桁（国番号によって変動）となる。このように、本実施例の携帯電話機は、様々な種類の電話番号に対応して各バックライトの輝度を制御することができる。
【００６５】
なお、IP電話機の電話番号（０５０）、携帯電話機用の電話番号（０９０，０８０）、PHS電話機の電話番号（０７０）などの電話番号も識別できる。また、その他の実施例では、海外から日本への国際電話にも対応できる。この場合、携帯電話機１０のＲＡＭ３４には、他国の国際プレフィックス番号（アメリカ：００１、中国：００、韓国：００１または００２）を含むデータベースが記憶される。そして、プロセッサ２４は、そのデータベースに基づいて、上限桁数を確定する。
【００６６】
ここで、入力している電話番号が上限桁数を超える前に、ポーズキー７４に対応する確定キー２６ｃが操作されると、ポーズダイヤルが入力される。たとえば、図６（Ａ）の状態で、ポーズキー７４が操作されると、図６（Ｄ）のように、「０１２０８７０」の次にポーズダイヤルを示す「Ｐ」が入力される。そして、ポーズキー７４が操作されると、入力された電話番号の桁数が上限桁数を超えていなくても、各バックライトには微灯状態が設定される。つまり、使用者は、自身の判断で各バックライトの輝度を低くすることができる。
【００６７】
図７は、ＲＡＭ３４のメモリマップ３００を示す図である。ＲＡＭ３４のメモリマップ３００には、プログラム記憶領域３０２およびデータ記憶領域３０４が含まれる。また、プログラムおよびデータの一部は、フラッシュメモリ３２から一度に全部または必要に応じて部分的かつ順次的に読み出され、ＲＡＭ３４に記憶されてからプロセッサ２４によって処理される。
【００６８】
プログラム記憶領域３０２には、携帯電話機１０を動作させるためのプログラムが記憶されている。たとえば、携帯電話機１０を動作させるためのプログラムは、バックライト制御プログラム３１０、輝度制御プログラム３１２および上限桁数確定プログラム３１４などから構成されている。バックライト制御プログラム３１０は、キーバックライト３６およびディスプレイバックライト３８のオン／オフおよび輝度を制御するためのプログラムである。輝度制御プログラム３１２は、バックライト制御プログラム３１０のサブルーチンであり、キーバックライト３６およびディスプレイバックライト３８の輝度を設定するためのプログラムである。上限桁数確定プログラム３１４は、輝度制御プログラム３１２のサブルーチンであり、入力中の電話番号に基づいて、入力されている電話番号の上限桁数を確定するためのプログラムである。
【００６９】
なお、図示は省略するが、携帯電話機１０を動作させるためのプログラムには、電話着信状態を通知するためのプログラムおよび通話状態を確立するためのプログラムなどが含まれる。
【００７０】
続いて、データ記憶領域３０４には、入力文字バッファ３３０および上限桁数バッファ３３２が設けられるとともに、ＧＵＩデータ３３４、上限桁数テーブルデータ３３６が記憶される。さらに、データ記憶領域３０４には、無操作カウンタ３４２および入力文字カウンタ３４４なども設けられる。
【００７１】
入力文字バッファ３３０には、ダイヤルキー２６ｅが操作されることで入力された文字データが一時的に記憶される。そのため、入力文字バッファ３３０には、図６（Ａ）などに示す、入力中の電話番号などが記憶される。上限桁数バッファ３３２には、入力中の電話番号に基づいて確定した上限桁数が一時的に記憶される。
【００７２】
ＧＵＩデータ３３４は、ディスプレイ３０に表示されるＧＵＩのデータである。上限桁数テーブルデータ３３６は、電話番号を識別するための数字列と上限桁数とが対応づけられたテーブルである。たとえば、電話番号を識別するための数字列は、固定電話機用の電話番号を識別するための番号、フリーダイヤル用の電話番号を識別するための番号（０１２０，０８００）および国際電話用の電話番号を識別するための番号（０１０）などである。また、固定電話機用の電話番号を識別するための番号は、国内プレフィックス番号（０）、国内の市外局番および市内局番から構成されている。そして、固定電話機用の電話番号を識別するための番号には上限桁数として「１０」が対応付けられ、フリーダイヤル用の電話番号を識別するための番号には上限桁数として「１０」が対応付けられ、国際電話用の電話番号を識別するための番号には上限桁数として「１４〜１８」が対応付けられる。
【００７３】
確定フラグ３３８は、上限桁数が確定しているか否かを判断するためのフラグである。たとえば、確定フラグ３３８は、１ビットのレジスタで構成される。確定フラグ３３８がオン（成立）されると、レジスタにはデータ値「１」が設定される。一方、確定フラグ３３８がオフ（不成立）されると、レジスタにはデータ値「０」が設定される。
【００７４】
また、無操作カウンタ３４０は、一定時間（３０秒）を計測するためのカウンタであり、初期化されるとカウントを開始する。また、無操作カウンタ３４０は無操作タイマとも呼ばれ、無操作タイマが実行されると、無操作カウンタ３４０は初期化されてカウントを開始する。また、入力文字カウンタ３４２は、入力された電話番号の桁数をカウントするためのカウンタである。ただし、入力された電話番号の桁数は、入力ミス等が無い場合などでは、ダイヤルキー２６ｅが操作された回数と一致する。
【００７５】
なお、図示は省略するが、データ記憶領域３０４には、RTCが出力するデータを一時的に記憶するバッファや、文字列を表示するための文字データなどが記憶されると共に、携帯電話機１０の動作に必要なカウンタや、フラグも設けられる。
【００７６】
プロセッサ２４は、Android（登録商標）およびREXなどのLinux（登録商標）ベースのOSや、その他のOSの制御下で、図８に示すバックライト制御処理、図９に示す輝度制御処理および図１０に示す上限桁数確定処理などを含む、複数のタスクを並列的に処理する。
【００７７】
図８はバックライト制御処理のフロー図である。たとえば、待機状態でダイヤルキー２６ｅが操作されると、プロセッサ２４は、ステップＳ１でキーバックライト３６を、点灯状態を設定する。つまり、プロセッサ２４は、電話番号を入力するキー操作に応じて、キーバックライト３６の輝度を点灯状態に設定する。また、具体的には、プロセッサ２４は、ＬＥＤドライバ５０に対して、ＬＥＤ５２の電源をオンにするオン／オフ制御信号と、ＬＥＤ５２の輝度を点灯状態に設定する調光信号とを出力する。続いて、プロセッサ２４は、ステップＳ３で、ディスプレイバックライト３８を点灯状態に設定する。つまり、プロセッサ２４は、ＬＥＤドライバ５４に対して、ＬＥＤ５６をオンにするオン／オフ制御信号出力と、ＬＥＤ５６の輝度を点灯状態に設定する調光信号とを出力する。続いて、プロセッサ２４は、ステップＳ５で、無操作タイマを実行する。つまり、時間の計測を開始するために、無操作カウンタ３４０が初期化される。
【００７８】
続いて、プロセッサ２４は、ステップＳ７で、キー操作がされたか否かを判断する。つまり、プロセッサ２４は、キー入力装置２６に対してキー操作がされ、キー入力装置２６がキー情報を新たに出力したか否かを判断する。ステップＳ７で“ＹＥＳ”であれば、つまりキー操作がされると、プロセッサ２４はステップＳ９で、輝度設定処理を実行する。この輝度設定処理については、図９の輝度制御処理のフロー図を用いて後述するため、ここでの詳細な説明は省略する。続いて、プロセッサ２４は、ステップＳ１１で、電話発信操作がされたか否かを判断する。つまり、プロセッサ２４は、通話キーが操作されたか否かを判断する。ステップＳ９で“ＹＥＳ”であれば、つまり通話を開始する操作がされれば、プロセッサ２４はバックライト制御処理を終了する。一方、ステップＳ９で“ＮＯ”であれば、つまり通話キーが操作されていなければ、プロセッサ２４はステップＳ７に戻る。
【００７９】
また、ステップＳ７で“ＮＯ”であれば、つまりキー操作がされていなければ、プロセッサ２４はステップＳ１３で、無操作タイマが満了したか否かを判断する。つまり、プロセッサ２４は、無操作カウンタ３４２によって、キーバックライト３６およびディスプレイバックライト３８の輝度が点灯状態に設定されてから一定時間（３０秒）が経過したか否かを判断する。ステップＳ１３で“ＮＯ”であれば、つまり各バックライトの輝度が点灯状態に設定されてから一定時間が経過していなければ、プロセッサ２４はステップＳ７に戻る。一方、ステップＳ１３で“ＹＥＳ”であれば、つまり各バックライトの輝度が点灯状態に設定されてから一定時間が経過していれば、プロセッサ２４はステップＳ１５で、キーバックライト３６に消灯状態を設定する。つまり、無操作状態で一定時間が経過したため、キーバックライト３６が消灯状態に設定される。また、具体的には、プロセッサ２４は、ＬＥＤドライバ５０に対して、ＬＥＤ５２の電源をオフにするオン／オフ制御信号を出力する。続いて、プロセッサ２４は、ステップＳ１７で、ディスプレイバックライト３８を消灯状態に設定して、ステップＳ７に戻る。つまり、プロセッサ２４は、ステップＳ１７の処理と同様、ＬＥＤドライバ５４に対して、電源をオフにする信号を出力する。
【００８０】
図９は輝度制御処理のフロー図である。バックライト制御処理でステップＳ９が実行されると、プロセッサ２４は、ステップＳ２１で操作されたキーがポーズキー７４であるか否かを判断する。プロセッサ２４は、ポーズキー７４に対応する確定キー２６ｃが操作されたか否かを判断する。なお、ステップＳ２１の処理を実行するプロセッサ２４は第２判断部として機能する。
【００８１】
ステップＳ２１で“ＹＥＳ”であれば、たとえば制御番号を入力するためにポーズキー７４が操作されると、プロセッサ２４はステップＳ３９以降の処理を実行する。一方、ステップＳ２１で“ＮＯ”であれば、つまりポーズキー７４以外のキーが操作されると、プロセッサ２４はステップＳ２３で、操作されたキーがダイヤルキー２６ｅであるか否かを判断する。ステップＳ２３で“ＹＥＳ”であれば、つまりダイヤルキー２６ｅが操作されていれば、プロセッサ２４はステップＳ２５で、入力文字カウンタ３４２をインクリメントし、ステップＳ３１に進む。たとえば、１桁目の数字を入力する操作がされた場合、入力文字カウンタ３４２の値は「１」となる。
【００８２】
また、ステップＳ２３で“ＮＯ”であれば、つまり操作されたキーがダイヤルキー２６ｅでなければ、プロセッサ２４はステップＳ２７でクリアキーが操作されたか否かを判断する。つまり、プロセッサ２４は入力した数字を削除するためにクリアキーが操作されたか否かを判断する。ステップＳ２７で“ＮＯ”であれば、つまり操作されたキーがクリアキー以外のキーであれば、プロセッサ２４はステップＳ４３以降の処理を実行し、各バックライトの輝度を点灯状態に設定する。一方、ステップＳ２７で“ＹＥＳ”であれば、つまりクリアキーが操作されると、プロセッサ２４はステップＳ２９で、入力文字カウンタをディクリメントする。たとえば、３桁目の数字を削除するためにクリアキーが操作された場合、入力文字カウンタ３４２の値は「２（＝３−１）」となる。なお、ステップＳ２５またはステップＳ２９の処理を実行するプロセッサ２４は計測部として機能する。
【００８３】
続いて、プロセッサ２４は、ステップＳ３１で、上限桁数が確定しているか否かを判断する。つまり、プロセッサ２４は、後述する上限桁数確定処理よって確定フラグ３３８がオンにされているか否かを判断する。ステップＳ３１で“ＹＥＳ”であれば、つまり入力される電話番号の上限桁数が確定しており、確定フラグ３３８がオンであれば、プロセッサ２４はステップＳ３７に進む。また、ステップＳ３１で“ＮＯ”であれば、つまり上限桁数が確定しておらず、確定フラグ３３８がオフであれば、プロセッサ２４はステップＳ３３で、上限桁数確定処理を実行する。なお、上限桁数確定処理については、図１０に示すフロー図を用いて詳細に説明するため、ここでの説明は省略する。
【００８４】
続いて、プロセッサ２４は、ステップＳ３５で、上限桁数が確定したか否かを判断する。つまり、プロセッサ２４は、入力されている数字から上限桁数を確定することができたか否かを、確定フラグ３３８によって判断する。ステップＳ３５で“ＮＯ”であれば、たとえば入力されている数字が１桁（文字）であれば、電話番号の種類が識別されないため、プロセッサ２４はステップＳ４３に進み、各バックライトの輝度を点灯状態に設定する。また、ステップＳ３５で“ＹＥＳ”であれば、つまり上限桁数が確定しており、確定フラグ３３８がオンであれば、プロセッサ２４はステップＳ３７で、電話番号の入力が終了したか否かを判断する。つまり、プロセッサ２４は、入力されている字数を示す入力文字カウンタ３４２の値が、上限桁数バッファ３３２に格納される数値以下であるか否かを判断する。なお、ステップＳ３７の処理を実行するプロセッサ２４は第１判断部または判断部として機能する。
【００８５】
ステップＳ３７で“ＹＥＳ”であれば、たとえば上限桁数が１０桁の場合、使用者が電話番号の入力を終え、１１桁目の数字を入力すれば、プロセッサ２４は、ステップＳ３９でキーバックライト３６を微灯状態に設定し、ステップＳ４１でディスプレイバックライト３８を微灯状態に設定して、ステップＳ４７に進む。つまり、プロセッサ２４は、キーバックライト３６のＬＥＤドライバ５０およびディスプレイバックライト３８のＬＥＤドライバ５４に対して、微灯状態を示す調光信号を出力する。なお、ステップＳ３９の処理を実行するプロセッサ２４は第１設定部または設定部として機能し、ステップＳ４１の処理を実行するプロセッサ２４は第２設定部として機能する。
【００８６】
一方、ステップＳ３７で“ＮＯ”であれば、つまり入力されている字数（桁数）が上限桁数以下であり、電話番号が入力されている途中であれば、プロセッサ２４は、ステップＳ４３でキーバックライト３６を点灯状態に設定し、ステップＳ４５でディスプレイバックライト３８を点灯状態に設定する。つまり、プロセッサ２４は、キーバックライト３６のＬＥＤドライバ５０およびディスプレイバックライト３８のＬＥＤドライバ５４に対して、点灯状態を示す調光信号を出力する。
【００８７】
続いて、プロセッサ２４は、ステップＳ４７で無操作タイマを実行する。そして、プロセッサ２４は、ステップＳ４７の処理が終了すれば、輝度制御処理を終了して、バックライト制御処理に戻る。つまり、プロセッサ２４は、ステップＳ５を同様、時間の計測を開始するために、無操作カウンタ３４０を初期化する。
【００８８】
ここで、携帯電話機１０が機械式のキー入力装置２６の代わりにタッチパネルを備える場合、ディスプレイ３０の表示とタッチパネルとを利用するソフトキーで電話番号が入力されてもよい。また、ディスプレイ３０の表示とタッチパネルとを利用するソフトキーで電話番号を入力し、機械式のキーが存在しない携帯電話機１０の場合は、輝度制御処理において、ステップＳ３９およびステップＳ４３が省略される。そして、輝度制御処理における、ディスプレイバックライト３８に対する処理（Ｓ１７，Ｓ４１，Ｓ４５）が実行されることで、携帯電話機１０の消費電力が抑えられる。さらに、文字を入力するソフトキーと編集画面とが同一のディスプレイに表示される場合には、編集画面の輝度は変化させずに、ソフトキーが表示される範囲の輝度のみを変化させてもよい。
【００８９】
このように、キーバックライト３６とディスプレイバックライト３８とを１つに集約することができるため、携帯電話機１０に組み込む部品数を削減することができる。また、発光する部品を減らすことで、携帯電話機１０の消費電力を削減することもできる。
【００９０】
なお、上述した機械式のキーが存在しない携帯電話機１０では、ディスプレイバックライト３８が発光部に相当する。
【００９１】
図１０は上限桁数確定処理のフロー図である。輝度制御処理でステップＳ３３が実行されると、プロセッサ２４は、ステップＳ５１で固定電話機用の電話番号か否かを判断する。たとえば、プロセッサ２４は、入力文字バッファ３３０に格納される数字列を読み出し、その数字列が、固定電話機用の電話番号を表す番号（たとえば、「０７２８」）から始まる数字列であるか否かを判断する。ステップＳ５１で“ＹＥＳ”であれば、つまり入力中の電話番号が固定電話機用の電話番号であれば、プロセッサ２４はステップＳ５３で、固定電話に対応する上限桁数を上限桁数テーブルから取得し、ステップＳ６３に進む。つまり、プロセッサ２４は、固定電話機用の上限桁数である「１０」を、上限桁数バッファ３３２に格納する。
【００９２】
また、ステップＳ５１で“ＮＯ”であれば、つまり入力中の電話番号の種類が固定電話機用でなければ、プロセッサ２４はステップＳ５５で、フリーフォンサービス用の電話番号であるか否かを判断する。たとえば、プロセッサ２４は、入力中の電話番号がフリーフォンサービス用の電話番号を示す「０１２０」または「０８００」から始まる数字列であるか否かを判断する。ステップＳ５５で“ＹＥＳ”であれば、つまり入力中の電話番号が上記「０１２０」または「０８００」から始まる数字列であれば、プロセッサ２４はステップＳ５７で、フリーフォンサービスに対応する上限桁数を上限桁数テーブルデータ３３６から取得して、ステップＳ６３に進む。つまり、プロセッサ２４は、フリーフォンサービス用の上限桁数である「１０」を上限桁数バッファ３３２に格納する。
【００９３】
また、ステップＳ５５で“ＮＯ”であれば、つまり入力中の電話番号の種類がフリーフォンサービス用でなければ、プロセッサ２４はステップＳ５９で、国際電話用の電話番号か否かを判断する。たとえば、プロセッサ２４は、入力中の電話番号が、国際電話用の電話番号を示す国際プレフィックス番号「０１０」と、１〜５桁の国番号（アメリカ：１、韓国：８２など）と含む数字列であるか否かを判断する。ステップＳ５９で“ＹＥＳ”であれば、つまり入力中の電話番号が上記国際プレフィックス番号と国番号とを含んでいれば、プロセッサ２４はステップＳ６１で、国際電話に対応する上限桁数を上限桁数テーブルデータ３３６から取得する。たとえば、入力中の電話番号にアメリカの国番号が含まれていれば、プロセッサ２４は、上限桁数として「１４」を上限桁数バッファ３３２に格納する。また、入力中の電話番号に韓国の国番号が含まれていれば、プロセッサ２４は上限桁数として「１５」を上限桁数バッファ３３２に格納する。
【００９４】
続いて、プロセッサ２４は、ステップＳ６３で確定フラグ３３８をオンに設定する。そして、プロセッサ２４は、ステップＳ６３の処理が終了すると、上限桁数確定処理を終了して輝度制御処理に戻る。つまり、ステップＳ５３，Ｓ５７，Ｓ６１のいずれかの処理で、上限桁数が確定しているため、プロセッサ２４は確定フラグ３３８をオンにする。
【００９５】
また、ステップＳ５９で“ＮＯ”であれば、たとえば入力中の電話番号の字数が少なく、種類を識別できなければ、プロセッサ２４は、上限桁数確定処理を終了して輝度制御処理に戻る。
【００９６】
なお、本実施例では、入力中の電話番号の先頭（１桁目）から４桁目までを利用して電話番号を識別したが、他の実施例では、電話番号全体を利用したり、全く異なるアルゴリズムで識別されてもよい。
【００９７】
また、ステップＳ３３の上限桁数確定処理において、ステップＳ５３，Ｓ５７，Ｓ６１の処理を実行するプロセッサ２４は確定部として機能する。
【００９８】
以上の説明から分かるように、携帯電話機１０は、キー入力装置２６およびディスプレイ３０を備え、使用者が電話番号を入力すると、キーバックライト３６およびディスプレイバックライト３８が発光する。たとえば、使用者がテレフォンバンキングを利用するための電話番号を入力し始めると、プロセッサ２４は入力中の電話番号を識別し、上限桁数を確定する。また、入力した数字列の桁数が上限桁数を超えると、プロセッサ２４は各バックライトの輝度を微灯状態に設定する。
【００９９】
このように、テレフォンバンキング用の電話番号の後に暗証番号などの制御番号が入力されると、各バックライトの輝度が低くなるため、携帯電話機１０の消費電力が抑えられる。
【０１００】
なお、上記実施例では、テレフォンバンキングを利用する電話番号について説明したが、他の実施例では、ケータイホームシステム（登録商標）のような、家に設置された電化製品を制御するための電話番号が利用されてもよい。
【０１０１】
また、他の実施例では、入力中の数字列の桁数が上限桁数を超えた場合、セキュリティ性を向上させるために、制御番号として入力される数字を全て「＊」や「●」などで示すようにしてもよい。また、その他の実施例では、入力中の数字列の桁数が上限桁数を超えた場合、各バックライトの輝度を低くするとともに、ポーズダイヤル（Ｐ）が自動的に挿入されてもよい。
【０１０２】
また、携帯電話機１０が海外で利用されている場合、利用されている国に対応する電話番号が識別される。この場合、その国に対応する上限桁数テーブルに基づいて上限桁数が決められる。また、利用されている国は、携帯電話機１０に設定されているエリア情報に基づいて判断される。さらに、エリア情報は、携帯電話機１０によって自動的に設定されてもよいし、使用者によって任意に設定されてもよい。
【０１０３】
また、バックライト制御処理は、電話発信だけに限らず、電子メールやSMS(Short Message Service)などのメッセージを送信する機能、アドレス帳機能およびメモ帳機能などと同時に実行されてもよい。
【０１０４】
また、携帯電話機１０の通信方式はCDMA方式であるが、LTE(Long Term Evolution)方式、W-CDMA方式、GSM方式、TDMA方式、FDMA方式およびPHS方式などが採用されてもよい。
【０１０５】
また、バックライト制御プログラム３１０、輝度制御プログラム３１２および上限桁数確定プログラム３１４は、データ配信用のサーバのHDDに記憶され、ネットワークを介して携帯電話機１０に配信されてもよい。また、CD,DVD,BD(Blu-ray Disc)などの光学ディスク、USBメモリおよびメモリカードなどの記憶媒体にこれらのプログラムを記憶させた状態で、その記憶媒体が販売または配布されてもよい。そして、上記したサーバや記憶媒体などを通じてダウンロードされた、ロック状態設定プログラム３１０およびロック状態制御プログラム３１２が、本実施例と同等の構成の携帯電話機にインストールされた場合、本実施例と同等の効果が得られる。
【０１０６】
さらに、本実施例は、携帯電話機１０のみに限らず、スマートフォンおよびPDA(Personal Digital Assistant)に適用されてもよい。
【０１０７】
そして、本明細書中で挙げた、輝度値やその割合、一定時間、上限桁数、電話番号および電話番号に関連する数字列などの具体的な数値は、いずれも単なる一例であり、製品の仕様などの必要に応じて適宜変更可能である。
【符号の説明】
【０１０８】
１０    …  携帯電話機
１２    …  アンテナ
１４    …  無線通信回路
２４    …  プロセッサ
２６    …  キー入力装置
２６ｃ    …  確定キー
２６ｄ    …  カーソルキー
２６ｅ    …  ダイヤルキー
３４    …  ＲＡＭ
３６    …  キーバックライト
３８    …  ディスプレイバックライト
５０    …  ＬＥＤドライバ
５２    …  ＬＥＤ
５４    …  ＬＥＤドライバ
５６    …  ＬＥＤ
６０    …  キートップ
６２    …  導光シート
【図１】
2012070122.tif 000003
【図２】
2012070122.tif 000004
【図３】
2012070122.tif 000005
【図４】
2012070122.tif 000006
【図５】
2012070122.tif 000007
【図６】
2012070122.tif 000008
【図７】
2012070122.tif 000009
【図８】
2012070122.tif 000010
【図９】
2012070122.tif 000011
【図１０】
2012070122.tif 000012
【図１１】
2012070122.tif 000013